(57)【要約】【課題】本発明は記録メディア装置に関し、複数種類の記録メディアに対応可能である構造を実現することを課題とする。【解決手段】挿入方向の長さ寸法が相違する種類が異なる第１、第２記録メディア１０，１０Ａは、側面のガイド溝の終端が記録メディアの挿入方向とは反対側の基部に対して同じ位置である。記録メディア挿入口の近くの位置にインサートスイッチ３４が設けてある。インサートスイッチ３４は、押されてオフとされると、自動装着脱ユニット４０のモータ５１を停止させる。インサートスイッチ３４は、第１の記録メディア１０が挿入された場合にも、第２の記録メディア１０Ａが挿入された場合にも、ガイド溝の終端の部分でもって押されて動作され、第１、第２の記録メディアは基部を同じ位置とされて装着される。【選択図】        図１
2004295635.tif 000002
【特許請求の範囲】
【請求項１】
挿入された記録メディアの端子が接続されるコネクタと、挿入されて上記コネクタに接続された上記記録メディアを、モータを利用して移動させて装着させる記録メディア装着手段とを有する記録メディア装置において、
記録メディアの挿入方向の長さの違いの如何に関係なく、該記録メディアの挿入方向とは反対側の部分が同じ位置にまで到ったときに、記録メディア装着手段の動作を停止させる動作停止手段を有する構成としたことを特徴とする記録メディア装置。
【請求項２】
挿入された記録メディアの端子が接続されるコネクタと、挿入されて上記コネクタに接続された上記記録メディアを、モータを利用して移動させて装着させる記録メディア装着手段とを有する記録メディア装置において、
種類の違いの如何に関係なく、該記録メディアの挿入方向とは反対側に寸法形状が同じである共通寸法形状部分を有する複数の種類の記録メディアが使用される構成であり、
上記記録メディアの共通寸法形状部分を検出して、記録メディア装着手段の動作を停止させる動作停止手段を有する構成としたことを特徴とする記録メディア装置。
【請求項３】
請求項２に記載の記録メディア装置において、
該動作停止手段は、上記記録メディアの共通寸法形状部分によって押されて動作される機械的なスイッチであることを特徴とする記録メディア装置。
【請求項４】
請求項２に記載の記録メディア装置において、
上記記録メディアは、その側面に挿入方向の先端側から挿入方向とは反対側に向かって形成してあるガイド溝の終端の部分が上記共通寸法形状部分である形状であり、
上記該動作停止手段は、機械的なスイッチであり、その可動接触片が、上記ガイド溝に嵌合し、該ガイド溝に嵌合している間は押されず、ガイド溝の終端の部分によって押されて動作される構成であることを特徴とする記録メディア装置。
【発明の詳細な説明】
【０００１】
【発明の属する技術分野】
本発明は記録メディア装置に係り、特に、挿入方向の先端側にコネクタ部を有する記録メディアが使用され、この記録メディアの装着離脱が自動的に行われる構成の記録メディア装置に関する。
【０００２】
【従来の技術】
従来の記録メディアの装着離脱がモータを利用して自動的に行われる構成の記録メディア装置は、特定の記録メディアに専用の構成であり、特定の記録メディアとは異なる記録メディアが装着できる構成とはなっていなかった。
【０００３】
【発明が解決しようとする課題】
当初は、上記の特定の記録メディアは一種類だけであったが、近年、用途に応じられるように、記録容量が相違する記録メディアが提供されるようになりつつある。この場合に、新たに提供される記録メディアは、当初の記録メディアとは特定の部分の形状を共通にした設計とされる場合が多い。
【０００４】
従来の構成の記録メディア装置では、記録メディア毎に専用の記録メディア装置を準備する必要があり、利用者の負担が大きく、複数の記録メディアの普及を図る上で障害となってしまう。
【０００５】
そこで、本発明は、上記課題を解決した記録メディア装置を提供することを目的とする。
【０００６】
【課題を解決するための手段】
請求項１の発明は、挿入された記録メディアの端子が接続されるコネクタと、挿入されて上記コネクタに接続された上記記録メディアを、モータを利用して移動させて装着させる記録メディア装着手段とを有する記録メディア装置において、
記録メディアの挿入方向の長さの違いの如何に関係なく、該記録メディアの挿入方向とは反対側の部分が同じ位置にまで到ったときに、記録メディア装着手段の動作を停止させる動作停止手段を有する構成としたものである。
【０００７】
記録メディアの挿入方向の長さが相違する複数の種類の記録メディアが装着可能となって複数の種類の記録メディアに対応することが可能となる。
【０００８】
請求項２の発明は、挿入された記録メディアの端子が接続されるコネクタと、挿入されて上記コネクタに接続された上記記録メディアを、モータを利用して移動させて装着させる記録メディア装着手段とを有する記録メディア装置において、
種類の違いの如何に関係なく、該記録メディアの挿入方向とは反対側に寸法形状が同じである共通寸法形状部分を有する複数の種類の記録メディアが使用される構成であり、
上記記録メディアの共通寸法形状部分を検出して、記録メディア装着手段の動作を停止させる動作停止手段を有する構成としたものである。
【０００９】
外形寸法が相違する複数の種類の記録メディアに対応することが可能となる。しかも、記録メディアの共通寸法形状部分を利用しているため、挿入された記録メディアがどの種類の記録メディアであるかを判断する手段を設ける必要はなく、構成が簡単となる。
【００１０】
請求項３の発明は、請求項２に記載の記録メディア装置において、
該動作停止手段は、上記記録メディアの共通寸法形状部分によって押されて動作される機械的なスイッチである構成としたものである。
【００１１】
請求項４の発明は、請求項２に記載の記録メディア装置において、
上記記録メディアは、その側面に挿入方向の先端側から挿入方向とは反対側に向かって形成してあるガイド溝の終端の部分が上記共通寸法形状部分である形状であり、
上記該動作停止手段は、機械的なスイッチであり、その可動接触片が、上記ガイド溝に嵌合し、該ガイド溝に嵌合している間は押されず、ガイド溝の終端の部分によって押されて動作される構成であるようにしたものである。
【００１２】
【発明の実施の形態】
説明の便宜上、本発明の記録メディア装置に使用される記録メディア１０、１０Ａについて、図１１を参照して説明する。
【００１３】
図１１（Ａ１）、（Ａ２）は第１の種類の記録メディア１０であり、同図（Ｂ１）、（Ｂ２）は第２の種類の記録メディア１０Ａである。共にカートリッジタイプであり、四角形の板状であり、内部に情報を記録する手段が収容してある構成である。記録メディア１０Ａの記録容量は、記録メディア１０の記録容量より小さい。１１，１１Ａは挿入する方向の先端部であり、１２，１２Ａは先端部とは反対側の基部である。記録メディア１０、１０Ａは、先端部１１，１１Ａに、端子が並んだ構成の同じコネクタ部１３を有し、外形は、幅寸法Ｗが同じであり、長さ寸法Ｌ１は長さ寸法Ｌ２よりも短く、長さが異なっている。記録メディア１０、１０Ａの側面１４Ｘ２、１４Ｘ１、１４Ｘ２Ａ、１４Ｘ１Ａには、ガイド溝１５Ｘ２、１５Ｘ１、１５Ｘ２Ａ、１５Ｘ１Ａが先端１１，１１Ａから基部１２，１２Ａ側に向かって、基部１２，１２Ａから同じ寸法Ａの位置Ｐまで形成してある。即ち、ガイド溝１５Ｘ２、１５Ｘ２Ａの終端１５Ｘ２ａ、１５Ｘ２Ａａは、基部１２，１２Ａを基準とすると基部１２，１２Ａに対して同じ位置である。記録メディア１０、１０Ａは、側面１４Ｘ２、１４Ｘ１、１４Ｘ２Ａ、１４Ｘ１Ａのうち基部１２，１２Ａ側の部分１６，１６Ａは同じ形状である。本発明は、この共通の形状部分１６，１６Ａ、具体的には、ガイド溝１５Ｘ２、１５Ｘ２Ａの終端１５Ｘ２ａ、１５Ｘ２Ａａを利用するようにしたものである。記録メディア１０、１０Ａの側面のうち先端部１１，１１Ａの近くに、凹部１７Ｘ１、１７Ｘ２、１７Ｘ１Ａ、１７Ｘ２Ａが形成してある。
【００１４】
図１、図２及び図３は本発明の一実施例になる記録メディア装置２０の記録メディアを装着する前の状態を示す。図５はコネクタ部材６３がＹ１方向に移動されている状態を示す。図１、図３及び図５はカバー及び自動装着脱ユニット４０を取り外して内部の構造を分かり易く示す。図４は自動装着脱ユニット４０を下側からみて示す。
図１３は記録メディア１０が装着された状態を示し、図１４は記録メディア１０Ａが装着された状態を示す。Ｙ１が記録メディア１０を挿入する方向、Ｙ２が記録メディア１０を離脱させる方向、Ｘ１−Ｘ２は記録メディア装置２０の幅方向、Ｙ１−Ｙ２は記録メディア装置２０の奥行き方向、Ｚ１−Ｚ２記録メディア装置２０の高さ方向である。
【００１５】
図１及び図３に示すように、記録メディア装置２０は、大略、フロントベゼル２１とリヤ側のフレーム２２とがＸ１側及びＸ２側の梁部材２３、２４によって連結されて四角枠形状のフレーム２５に、自動装着脱ユニット４０及びガイドレール２６，２７、六つのスイッチ３０〜３５が取り付けてある構成である。ガイドレール２６，２７は夫々梁部２３、２４の内側に固定してある。
【００１６】
自動装着脱ユニット４０は、図４に示すように、断面がＬ字形状の梁部材４１と、梁部材４１のＸ１側に固定してあるモータユニット５０と、梁部材４１にＹ１−Ｙ２方向にスライド可能であるスライドユニット６０とを有する構成である。モータユニット５０は、モータ５１と、減速ギヤボックス５２と、ピニオン５３とを有する。スライドユニット６０は、梁部材４１のＸ２側の水平部分に支持されているラック部材６１と、Ｘ１側がラック部材６１に固定してある四角形状の支持板部材６２と、この下面に固定してあるコネクタ部材６３とフック部材６４，６５とよりなる。図２に示すように、支持板部材６２はガイドレール２６，２７間に跨っており、図３に示すように、コネクタ部材６３は、ガイドレール２６，２７の間の空間に配置されており、フック部材６４，６５は夫々ガイドレール２６，２７の上方に配されている。ラック部材６１、コネクタ部材６３、フック部材６４，６５等は、Ｙ１方向に、図５に示す位置まで移動する。
【００１７】
六つのスイッチ３０〜３５は、図１、図３及び図５に示すように配置してあり、インサートスイッチ３０と、これと関連するキルスイッチ３１と、イジェクトスイッチ３２と、これと関連するキルスイッチ３３と、インサートストップスイッチ３４と、イジェクトストップスイッチ３５とよりなる。図７に示すように、スイッチ３０とスイッチ３１とが直列に接続してあり、スイッチ３２とスイッチ３３とが直列に接続してあり、スイッチ３４とスイッチ３５とが直列に接続してあり、且つ、これらは並列の関係にある。これがスイッチ回路３７を構成する。キルスイッチは、これと関連するスイッチと直列に接続してあり、オフとされると、これと関連するスイッチがオンとされても、モータ５１を始動させないようにする役割を有する。３６は反転スイッチであり、後述する回路基板７０上の電子スイッチであり、上記のスイッチ回路３７と電源３７との間に設けてある。インサートスイッチ３０及びイジェクトスイッチ３２は、タクトスイッチである。キルスイッチ３１、３３及びイジェクトストップスイッチ３５はフラットレバースイッチである。
【００１８】
インサートストップスイッチ３４は、フロントベゼル２１に近い位置に設けてあり、図６（Ａ），（Ｂ）に示す構成であり、固定接触片３４ａと可動接触片３４ｂとよりなり、常閉タイプである。可動接触片３４ｂは、凸部３４ｂ１を有する。この凸部３４ｂ１は、図６（Ａ）に示すように、挿入される記録メディアのガイド溝に嵌合し、且つ、前記の共通形状部分１６を検出するようになっている。即ち、この凸部３４ｂ１は、図６（Ｂ）に示すように、記録メディア１０を装着する場合には、記録メディア１０が最終位置まで挿入されて装着されたときに形状部分１６、具体的には、ガイド溝１５Ｘ２の終端１５Ｘ２ａによってＸ２方向に押され、記録メディア１０Ａを装着する場合には、記録メディア１０Ａが同じく最終位置まで挿入されて装着されたときに形状部分１６、具体的には、ガイド溝１５Ｘ２Ａの終端１５Ｘ２ＡａによってＸ２方向に押されるようになっている。
【００１９】
図１及び図２に示すように、リヤ側のフレーム２２の内側に、回路基板７０が固定してある。この回路基板７０には、記録メディア装置２０の裏面に露出しているコネクタ部材７１と、コネクタ部材７２とを有する。前記のコネクタ部材６３とコネクタ部材７２との間にフレキシブルケーブル７３が設けてある。
【００２０】
次に、第１の種類の記録メディア１０を装着及び離脱せる動作について説明する。
【００２１】
図８はスイッチ３０〜３６の状態及びモータ５１の状態を示す。
【００２２】
記録メディア１０を挿入する前は、記録メディア装置２０は図１、図２及び図３に示す状態にある。ラック部材６１、コネクタ部材６３、フック部材６４，６５等はＹ２方向に移動している。減速ギヤボックス５２の負荷によって、コネクタ部材６３は押されても動かない状態にある。モータ駆動回路のスイッチは図７に示す状態にある。スイッチ３０，３２，３３，３５はオフであり、モータ５１は停止している。反転スイッチ３６は可動接点が固定接点ａ１，ａ２に接続された状態にある。
【００２３】
操作者は、記録メディア１０を掴んでフロントベゼル２１の記録メディア挿入口２１ａを通して挿入して強く押し込む操作をする。これによって、図１２（Ａ）に示すように、記録メディア１０のコネクタ部１３がコネクタ部材６３と接続される。
【００２４】
また、記録メディア１０によって押されてスイッチ３０が一時的にオンとなり（図９（Ａ），図８（Ａ）参照）、モータ５１が始動されて正回転する（図８（Ｈ）参照）。モータ５１が始動すると、減速ギヤボックス５２、ピニオン５３、ラック部材６１を介してスライドユニット６０がＹ１方向に移動を開始し、フック部材６４，６５が凹部１７Ｘ２、１７Ｘ１に係合し、記録メディア１０が記録メディア装置２０内に引き込まれる。スライドユニット６０がＹ１方向に移動を開始すると、スイッチ３５がオンとなり（図９（Ｂ），図８（Ｆ）参照）、モータ５１は正回転を継続する。記録メディア１０の基部１２が挿入口２１ａを塞ぐ状態まで引き込まれると、図６（Ｂ）に示すように、スイッチ３４の可動接触片３４ｂの凸部３４ｂ１がガイド溝１５Ｘ２の終端１５Ｘ２ａによって押されてスイッチ３４がオフとなり（図９（Ｃ），図８（Ｅ）参照）、モータ５１は停止する。また、スイッチ３３がオンとなり、反転スイッチ３６が切り換わって可動接点が固定接点ｂ１，ｂ２に接続される（図９（Ｃ），図８（Ｇ）参照）。記録メディア１０は図１２（Ｂ）に示すように記録メディア装置２０に装着され、ハードディスクに対して情報の記録及び再生が行われる。
【００２５】
操作者がイジェクト釦２１ｂを押すと、スイッチ３２が一時的にオンとなり（図１０（Ａ），図８（Ｃ）参照）、モータ５１が始動されて今度は逆回転する（図８（Ｈ）参照）。モータ５１が始動すると、スライドユニット６０がＹ２方向に移動を開始し、記録メディア１０がＹ２方向に移動を開始し、凸部３４ｂ１がガイド溝１５Ｘ２内に嵌合してスイッチ３４がオンとなり（図１０（Ｂ），図８（Ｅ）参照）、モータ５１は逆回転を継続し、記録メディア１０は記録メディア装置２０の外に内に押し出される。コネクタ部材６３が元の位置まで移動されると、フック部材６４，６５が凹部１７Ｘ２、１７Ｘ１から抜け出し、スイッチ３３及びスイッチ３５が共にオフとなり（図７，図８（Ｄ），（Ｆ）参照）、モータ５１は停止し、記録メディア１０は図１２（Ａ）に示す状態となって離脱動作が完了する。また、反転スイッチ３６が切り換わる。
【００２６】
この後に、操作者がフロントベゼル２１から突き出ている記録メディア１０を掴んで引くことによって、コネクタ部１３がコネクタ部材６３から外されて記録メディア１０が取り出される。
【００２７】
次に、第２の種類の記録メディア１０Ａを装着及び離脱せる動作について説明する。
【００２８】
操作者は、記録メディア１０Ａの基部１１Ａ側を掴んでフロントベゼル２１の記録メディア挿入口２１ａを通して挿入して強く押し込んで、図１３（Ａ）に示すように、記録メディア１０Ａのコネクタ部１３をコネクタ部材６３と接続させる。
【００２９】
この後は前記の記録メディア１０を装着する場合と同じくモータ５１が始動されて正回転し、スライドユニット６０がＹ１方向に移動を開始し、フック部材６４，６５が凹部１７Ｘ２Ａ、１７Ｘ１Ａに係合し、記録メディア１０Ａが記録メディア装置２０内に引き込まれる。記録メディア１０Ａの基部１２Ａが挿入口２１ａを塞ぐ状態まで引き込まれると、図５（Ｂ）に示すように、スイッチ３４の可動接触片３４ｂの凸部３４ｂ１がガイド溝１５Ｘ２Ａの終端１５Ｘ２Ａａによって押されてスイッチ３４がオフとなり、モータ５１は停止し、図１３（Ｂ）に示す状態となって、記録メディア１０の記録メディア装置２０への装着が完了する。
【００３０】
操作者がイジェクト釦２１ｂを押すと、前記の記録メディア１０が装着されている場合と同じく、モータ５１が始動されて逆回転し、スライドユニット６０がＹ２方向に移動を開始し、記録メディア１０ＡがＹ２方向に移動を開始し、凸部３４ｂ１がガイド溝１５Ｘ２内に嵌合してスイッチ３４がオンとなる。コネクタ部材６３が元の位置まで移動されると、フック部材６４，６５が凹部１７Ｘ２、１７Ｘ１から抜け出し、スイッチ３３、３５が共にオフとなり（図７参照）、モータ５１は停止し、記録メディア１０Ａは図１３（Ａ）に示す状態となって離脱動作が完了する。この後に、操作者がフロントベゼル２１から突き出ている記録メディア１０Ａを掴んで引くことによって、コネクタ部１３がコネクタ部材６３から外されて記録メディア１０Ａが取り出される。
【００３１】
上記のように記録メディア装着動作時においてモータ５１が停止するタイミングを記録メディア１０，１０Ａの共通形状部分１６、具体的には、ガイド溝１５Ｘ２、１５Ｘ２Ａの終端１５Ｘ２ａ、１５Ｘ２Ａａを利用して定めている構成であるため、記録メディア装置２０には、挿入された記録メディアがどの種類の記録メディアであるかを判断する手段を設ける必要はなく、記録メディア装置２０の構成は簡単である。
【００３２】
【発明の効果】
上述の如く、本発明によれば、挿入された記録メディアの端子が接続されるコネクタと、挿入されて上記コネクタに接続された上記記録メディアを、モータを利用して移動させて装着させる記録メディア装着手段とを有する記録メディア装置において、記録メディアの挿入方向の長さの違いの如何に関係なく、該記録メディアの挿入方向とは反対側の部分が同じ位置にまで到ったときに、記録メディア装着手段の動作を停止させる動作停止手段を有する構成としたため、記録メディアを自動的に装着させる構成の記録メディア装置であって、挿入方向の長さが相違する複数種類の記録メディアに対応することが可能である記録メディア装置を実現することが出来る。
【図面の簡単な説明】
【図１】本発明の一実施例になる記録メディア装置の平面図である。
【図２】本発明の一実施例になる記録メディア装置の斜視図である。
【図３】図２の記録メディア装置を自動装着脱ユニットが取り外された状態で示す斜視図である。
【図４】自動装着脱ユニットを下方よりみて示す斜視図である。
【図５】コネクタ部材がＹ１方向に移動したときの状態を示す図である。
【図６】インサートストップスイッチを示す図である。
【図７】モータ駆動回路の回路図である。
【図８】モータ駆動回路の各スイッチの動作を示す図である。
【図９】記録メディア装着動作時のモータ駆動回路を示す図である。
【図１０】記録メディア離脱動作時のモータ駆動回路を示す図である。
【図１１】記録メディアを示す図である。
【図１２】第１の記録メディアの装着を示す図である。
【図１３】第２の記録メディアの装着を示す図である。
【符号の説明】
１０  第１の種類の記録メディア
１０Ａ  第２の種類の記録メディア
１３  コネクタ部
１５Ｘ２、１５Ｘ２Ａ  ガイド溝
１５Ｘ２ａ、１５Ｘ２Ａａ  終端
１６，１６Ａ  共通形状部分
２０  記録メディア装置
３４  インサートストップスイッチ
３４ａ  固定接触片
３４ｂ  可動接触片
３４ｂ１  凸部
４０  自動装着脱ユニット
５１  モータ
６３  コネクタ部材
【図１】
2004295635.tif 000003
【図２】
2004295635.tif 000004
【図３】
2004295635.tif 000005
【図４】
2004295635.tif 000006
【図５】
2004295635.tif 000007
【図６】
2004295635.tif 000008
【図７】
2004295635.tif 000009
【図８】
2004295635.tif 000010
【図９】
2004295635.tif 000011
【図１０】
2004295635.tif 000012
【図１１】
2004295635.tif 000013
【図１２】
2004295635.tif 000014
【図１３】
2004295635.tif 000015